(57)【特許請求の範囲】
【請求項１】
目的地までの進行経路を案内するための経路案内装置であって、
撮影手段と、
前記撮影手段による撮影中の映像を所定の映像表示領域に表示する映像表示手段と、
目的地までの進行経路の探索を行う経路探索手段と、
前記経路探索手段によって得られた進行経路を示す拡張現実画像を、前記映像表示領域に表示されている映像に重ねて表示する拡張現実画像表示手段と、
現在位置を検出するＧＰＳ処理手段と、
利用者による前記拡張現実画像の選択または前記拡張現実画像の近傍の位置の選択があったときに、前記拡張現実画像によって示されている進行経路上の位置であって前記ＧＰＳ処理手段によって検出された現在位置から予め定められた距離だけ先の位置が所定の通行状態である旨を示す通行状態情報の設定を行う通行情報設定手段と
を備え、
前記ＧＰＳ処理手段によって検出された現在位置から前記拡張現実画像によって示されている進行経路に沿って延びる方向を第１の方向と定義し、かつ、前記ＧＰＳ処理手段によって検出された現在位置から利用者によって選択された前記映像表示領域上の位置に対応する実際の位置へと向かう方向を第２の方向と定義したとき、前記通行情報設定手段は、前記第１の方向と前記第２の方向とがなす角度が予め定められた角度以下であれば、利用者によって前記拡張現実画像の近傍の位置が選択されたと判断することを特徴とする、経路案内装置。
【請求項２】
目的地までの進行経路を案内するための経路案内装置であって、
撮影手段と、
前記撮影手段による撮影中の映像を所定の映像表示領域に表示する映像表示手段と、
目的地までの進行経路の探索を行う経路探索手段と、
前記経路探索手段によって得られた進行経路を示す拡張現実画像を、前記映像表示領域に表示されている映像に重ねて表示する拡張現実画像表示手段と、
現在位置を検出するＧＰＳ処理手段と、
利用者による前記拡張現実画像の選択があったときに、前記拡張現実画像によって示されている進行経路上の位置であって前記ＧＰＳ処理手段によって検出された現在位置から予め定められた距離だけ先の位置が所定の通行状態である旨を示す通行状態情報の設定を行う通行情報設定手段と
を備えることを特徴とする、経路案内装置。
【請求項３】
前記拡張現実画像によって示されている進行経路上の位置であって前記ＧＰＳ処理手段によって検出された現在位置から予め定められた距離だけ先の位置を指定位置と定義したとき、前記通行情報設定手段は、利用者による前記拡張現実画像の選択があったときに、更に、前記指定位置を中心とする予め定められた範囲内の位置が前記所定の通行状態である旨の設定を行うことを特徴とする、請求項２に記載の経路案内装置。
【請求項４】
前記経路探索手段は、前記通行情報設定手段によって前記通行状態情報の設定が行われると、利用者による操作を介することなく、設定された前記通行状態情報を考慮して進行経路の再探索を行うことを特徴とする、請求項１から３までのいずれか１項に記載の経路案内装置。
【請求項５】
前記通行情報設定手段は、
前記通行状態情報の設定を行う前に、設定を許可するか否かを利用者に選択させるための確認画面を表示し、
設定を許可する旨の選択が利用者によって行われた場合にのみ前記通行状態情報の設定を行うことを特徴とする、請求項１から４までのいずれか１項に記載の経路案内装置。
【請求項６】
前記通行情報設定手段は、前記拡張現実画像によって示されている進行経路上の位置であって前記ＧＰＳ処理手段によって検出された現在位置から予め定められた距離だけ先の位置が通行不可の状態または混雑している状態である旨を示す前記通行状態情報の設定を行うことを特徴とする、請求項１から５までのいずれか１項に記載の経路案内装置。
【請求項７】
前記経路探索手段は、目的地までの進行経路として避難所までの避難経路の探索を行うことを特徴とする、請求項１から６までのいずれか１項に記載の経路案内装置。
【請求項８】
目的地までの進行経路を映像表示領域を有する端末装置を用いて案内する経路案内方法であって、
前記端末装置が備える撮影手段が利用者による操作に基づき撮影を行う撮影ステップと、
前記端末装置が備える映像表示手段が前記撮影ステップによる撮影中の映像を前記映像表示領域に表示する映像表示ステップと、
前記端末装置が備える経路探索手段が目的地までの進行経路の探索を行う経路探索ステップと、
前記端末装置が備える拡張現実画像表示手段が、前記経路探索ステップで得られた進行経路を示す拡張現実画像を、前記映像表示領域に表示されている映像に重ねて表示する拡張現実画像表示ステップと、
前記端末装置が備えるＧＰＳ処理手段が現在位置を検出するＧＰＳ処理ステップと、
利用者による前記拡張現実画像の選択または前記拡張現実画像の近傍の位置の選択があったときに、前記端末装置が備える通行情報設定手段が、前記拡張現実画像によって示されている進行経路上の位置であって前記ＧＰＳ処理ステップで検出された現在位置から予め定められた距離だけ先の位置が所定の通行状態である旨を示す通行状態情報の設定を行う通行情報設定ステップと、
を含み、
前記ＧＰＳ処理ステップで検出された現在位置から前記拡張現実画像によって示されている進行経路に沿って延びる方向を第１の方向と定義し、かつ、前記ＧＰＳ処理ステップで検出された現在位置から利用者によって選択された前記映像表示領域上の位置に対応する実際の位置へと向かう方向を第２の方向と定義したとき、前記通行情報設定ステップでは、前記第１の方向と前記第２の方向とがなす角度が予め定められた角度以下であれば、利用者によって前記拡張現実画像の近傍の位置が選択されたと判断されることを特徴とする、経路案内方法。
【請求項９】
目的地までの進行経路を映像表示領域を有する端末装置を用いて案内する経路案内方法であって、
前記端末装置が備える撮影手段が利用者による操作に基づき撮影を行う撮影ステップと、
前記端末装置が備える映像表示手段が前記撮影ステップによる撮影中の映像を前記映像表示領域に表示する映像表示ステップと、
前記端末装置が備える経路探索手段が目的地までの進行経路の探索を行う経路探索ステップと、
前記端末装置が備える拡張現実画像表示手段が、前記経路探索ステップで得られた進行経路を示す拡張現実画像を、前記映像表示領域に表示されている映像に重ねて表示する拡張現実画像表示ステップと、
前記端末装置が備えるＧＰＳ処理手段が現在位置を検出するＧＰＳ処理ステップと、
利用者による前記拡張現実画像の選択があったときに、前記端末装置が備える通行情報設定手段が、前記拡張現実画像によって示されている進行経路上の位置であって前記ＧＰＳ処理ステップで検出された現在位置から予め定められた距離だけ先の位置が所定の通行状態である旨を示す通行状態情報の設定を行う通行情報設定ステップと
を含むことを特徴とする、経路案内方法。
【請求項１０】
映像表示領域を有する端末装置に、
撮影を行う撮影ステップと、
前記撮影ステップによる撮影中の映像を前記映像表示領域に表示する映像表示ステップと、
目的地までの進行経路の探索を行う経路探索ステップと、
前記経路探索ステップで得られた進行経路を示す拡張現実画像を、前記映像表示領域に表示されている映像に重ねて表示する拡張現実画像表示ステップと、
現在位置を検出するＧＰＳ処理ステップと、
利用者による前記拡張現実画像の選択または前記拡張現実画像の近傍の位置の選択があったときに、前記拡張現実画像によって示されている進行経路上の位置であって前記ＧＰＳ処理ステップで検出された現在位置から予め定められた距離だけ先の位置が所定の通行状態である旨を示す通行状態情報の設定を行う通行情報設定ステップと
を実行させるための経路案内プログラムであって、
前記ＧＰＳ処理ステップで検出された現在位置から前記拡張現実画像によって示されている進行経路に沿って延びる方向を第１の方向と定義し、かつ、前記ＧＰＳ処理ステップで検出された現在位置から利用者によって選択された前記映像表示領域上の位置に対応する実際の位置へと向かう方向を第２の方向と定義したとき、前記通行情報設定ステップでは、前記第１の方向と前記第２の方向とがなす角度が予め定められた角度以下であれば、利用者によって前記拡張現実画像の近傍の位置が選択されたと判断されることを特徴とする、目的地までの進行経路を案内するための経路案内プログラム。
【請求項１１】
映像表示領域を有する端末装置に、
撮影を行う撮影ステップと、
前記撮影ステップによる撮影中の映像を前記映像表示領域に表示する映像表示ステップと、
目的地までの進行経路の探索を行う経路探索ステップと、
前記経路探索ステップで得られた進行経路を示す拡張現実画像を、前記映像表示領域に表示されている映像に重ねて表示する拡張現実画像表示ステップと、
現在位置を検出するＧＰＳ処理ステップと、
利用者による前記拡張現実画像の選択があったときに、前記拡張現実画像によって示されている進行経路上の位置であって前記ＧＰＳ処理ステップで検出された現在位置から予め定められた距離だけ先の位置が所定の通行状態である旨を示す通行状態情報の設定を行う通行情報設定ステップと
を実行させることを特徴とする、目的地までの進行経路を案内するための経路案内プログラム。
【請求項１２】
前記拡張現実画像によって示されている進行経路上の位置であって前記ＧＰＳ処理ステップで検出された現在位置から予め定められた距離だけ先の位置を指定位置と定義したとき、前記通行情報設定ステップでは、利用者による前記拡張現実画像の選択があったときに、更に、前記指定位置を中心とする予め定められた範囲内の位置が前記所定の通行状態である旨の設定が行われることを特徴とする、請求項１１に記載の経路案内プログラム。
【請求項１３】
前記経路探索ステップでは、前記通行情報設定ステップで前記通行状態情報の設定が行われると、利用者による操作を介することなく、設定された前記通行状態情報を考慮して進行経路の再探索が行われることを特徴とする、請求項１０から１２までのいずれか１項に記載の経路案内プログラム。
【請求項１４】
前記通行情報設定ステップでは、
前記通行状態情報の設定が行われる前に、設定を許可するか否かを利用者に選択させるための確認画面が表示され、
設定を許可する旨の選択が利用者によって行われた場合にのみ前記通行状態情報の設定が行われることを特徴とする、請求項１０から１３までのいずれか１項に記載の経路案内プログラム。
【請求項１５】
前記通行情報設定ステップでは、前記拡張現実画像によって示されている進行経路上の位置であって前記ＧＰＳ処理ステップで検出された現在位置から予め定められた距離だけ先の位置が通行不可の状態または混雑している状態である旨の設定が行われることを特徴とする、請求項１０から１４までのいずれか１項に記載の経路案内プログラム。
【請求項１６】
前記経路探索ステップでは、目的地までの進行経路として避難所までの避難経路の探索が行われることを特徴とする、請求項１０から１５までのいずれか１項に記載の経路案内プログラム。
【請求項１７】
サーバと複数の端末装置とがネットワークを介して接続される経路案内システムであって、
各端末装置は、
撮影手段と、
前記撮影手段による撮影中の映像を所定の映像表示領域に表示する映像表示手段と、
目的地までの進行経路の探索を行う経路探索手段と、
前記経路探索手段によって得られた進行経路を示す拡張現実画像を、前記映像表示領域に表示されている映像に重ねて表示する拡張現実画像表示手段と、
現在位置を検出するＧＰＳ処理手段と、
利用者による前記拡張現実画像の選択があったときに、前記拡張現実画像によって示されている進行経路上の位置であって前記ＧＰＳ処理手段によって検出された現在位置から予め定められた距離だけ先の位置が所定の通行状態である旨を示す通行状態情報の設定を行う通行情報設定手段と、
利用者による前記拡張現実画像の選択があった時に前記撮影手段による撮影中の映像を写真画像として取得する写真画像取得手段と、
前記写真画像取得手段によって取得された写真画像および前記ＧＰＳ処理手段によって検出された現在位置を表す現在位置情報を前記サーバに送信するデータ送信手段と、
他の端末装置で取得され前記サーバから送信された写真画像を表示する写真画像表示手段と
を備え、
前記サーバは、
前記データ送信手段によって送信された写真画像を共有情報として記憶する写真画像記憶手段と、
各端末装置から送信された現在位置情報に基づいて、当該各端末装置に送信すべき共有情報を前記写真画像記憶手段から取り出し、その取り出した共有情報を当該各端末装置に送信する写真画像送信手段と
を備え、
各端末装置には、前記共有情報の位置を示すマークが表示され、
各端末装置で前記マークの選択が行われると、当該各端末装置において、前記写真画像表示手段は、選択されたマークに対応する共有情報としての写真画像を表示することを特徴とする、経路案内システム。
【請求項１８】
サーバと複数の端末装置とがネットワークを介して接続される経路案内システムを利用した経路案内方法であって、
各端末装置において当該各端末装置が備える撮影手段が利用者による操作に基づき撮影を行う撮影ステップと、
各端末装置において当該各端末装置が備える映像表示手段が前記撮影ステップによる撮影中の映像を所定の映像表示領域に表示する映像表示ステップと、
各端末装置において当該各端末装置が備える経路探索手段が目的地までの進行経路の探索を行う経路探索ステップと、
各端末装置において、当該各端末装置が備える拡張現実画像表示手段が、前記経路探索ステップで得られた進行経路を示す拡張現実画像を、前記映像表示領域に表示されている映像に重ねて表示する拡張現実画像表示ステップと、
各端末装置において当該各端末装置が備えるＧＰＳ処理手段が現在位置を検出するＧＰＳ処理ステップと、
各端末装置において、利用者による前記拡張現実画像の選択があったときに、当該各端末装置が備える通行情報設定手段が、前記拡張現実画像によって示されている進行経路上の位置であって前記ＧＰＳ処理ステップで検出された現在位置から予め定められた距離だけ先の位置が所定の通行状態である旨を示す通行状態情報の設定を行う通行情報設定ステップと、
各端末装置において、利用者による前記拡張現実画像の選択があった時に当該各端末装置が備える写真画像取得手段が前記撮影ステップによる撮影中の映像を写真画像として取得する写真画像取得ステップと、
各端末装置において、当該各端末装置が備えるデータ送信手段が前記写真画像取得ステップで取得された写真画像および前記ＧＰＳ処理ステップで検出された現在位置を表す現在位置情報を前記サーバに送信するデータ送信ステップと、
各端末装置において、当該各端末装置が備える写真画像表示手段が他の端末装置で取得され前記サーバから送信された写真画像を表示する写真画像表示ステップと、
前記サーバが前記データ送信ステップで送信された写真画像を共有情報として所定の写真画像記憶手段に記憶する写真画像記憶ステップと、
前記サーバにおいて、写真画像送信手段が、各端末装置から送信された現在位置情報に基づいて、当該各端末装置に送信すべき共有情報を前記写真画像記憶手段から取り出し、その取り出した共有情報を当該各端末装置に送信する写真画像送信ステップと
を含み、
各端末装置には、前記共有情報の位置を示すマークが表示され、
各端末装置で前記マークの選択が行われると、前記写真画像表示ステップでは、選択されたマークに対応する共有情報としての写真画像が表示されることを特徴とする、経路案内方法。
【請求項１９】
サーバと複数の端末装置とがネットワークを介して接続される経路案内システムにおいて前記端末装置に、
撮影を行う撮影ステップと、
前記撮影ステップによる撮影中の映像を所定の映像表示領域に表示する映像表示ステップと、
目的地までの進行経路の探索を行う経路探索ステップと、
前記経路探索ステップで得られた進行経路を示す拡張現実画像を、前記映像表示領域に表示されている映像に重ねて表示する拡張現実画像表示ステップと、
現在位置を検出するＧＰＳ処理ステップと、
利用者による前記拡張現実画像の選択があったときに、前記拡張現実画像によって示されている進行経路上の位置であって前記ＧＰＳ処理ステップで検出された現在位置から予め定められた距離だけ先の位置が所定の通行状態である旨を示す通行状態情報の設定を行う通行情報設定ステップと、
利用者による前記拡張現実画像の選択があった時に前記撮影ステップによる撮影中の映像を写真画像として取得する写真画像取得ステップと、
前記写真画像取得ステップで取得された写真画像および前記ＧＰＳ処理ステップで検出された現在位置を表す現在位置情報を前記サーバに送信するデータ送信ステップと、
他の端末装置で取得され前記サーバから送信された写真画像を表示する写真画像表示ステップと
を実行させることを特徴とする、目的地までの進行経路を案内するための経路案内プログラム。
【発明の詳細な説明】
【技術分野】
【０００１】
本発明は、端末装置（典型的には携帯電話などの携帯端末装置）のユーザーに目的地（例えば地震などの災害が発生した際の避難所）までの経路の情報を提供する経路案内装置に関する。
【背景技術】
【０００２】
携帯電話などの携帯端末装置の高機能化・高解像度化により、近年、地図を利用するアプリケーションソフトウェアが多く開発されている。そのようなアプリケーションソフトウェアの１つとして、携帯端末装置の利用者（以下、「ユーザー」という。）を目的地に案内するための「経路探索アプリ」などと呼ばれるアプリケーションソフトウェアが知られている。経路探索アプリを利用することにより、ユーザーは手元に地図がない場合でも目的地に容易にたどり着くことができる。
【０００３】
ところで、地震などによる広範囲にわたる災害が発生した場合、人々は直ちに近くの避難所に移動して身の安全や必要な物資・情報を確保する必要がある。近年、比較的規模の大きい災害が多く発生していることから、災害発生時に人々を速やかに避難所に誘導することが重要視されている。これに関し、携帯電話などの携帯端末装置が近年広く普及してきたことから、災害発生時に携帯端末装置を用いてユーザーを避難所に誘導することが考えられている。具体的には、携帯端末装置用の経路探索アプリの１つとして、避難所までの経路案内に特化したアプリケーションソフトウェア（以下、「避難誘導アプリ」という。）も提供されている。
【０００４】
上述した避難誘導アプリを用いてユーザーが目的地（避難所）へと移動している途中に、火災などのために避難経路上の道路を通行することができないという状態に当該ユーザーが遭遇する場合がある。そこで、ユーザーによって指定された位置（経路）を通行不可の状態に設定するという機能を持たせた避難誘導アプリも開発されている。これにより、ユーザーが通行不可の道路に遭遇しても、通行不可の道路を回避した別の避難経路（代替ルート）をユーザーに提示することができる。このように被災場所を通過しない避難ルートを生成する避難ルート出力装置の発明が特開２０１３−１９５０９５号公報に開示されている。なお、本明細書では、経路上の位置が通行不可の状態である旨を示す情報のことを「通行不可情報」という。
【０００５】
また、近年、携帯端末装置に付随するカメラで撮影している映像（以下、便宜上「風景映像」という。）にエアタグと呼ばれる仮想的画像を付加して表示する拡張現実技術（ＡＲ技術）が発達しつつある。そこで、経路探索アプリにおいても、各種情報を表すエアタグを風景映像に付加して表示することが行われている。例えば、避難誘導アプリでは、避難経路をエアタグで表示することが行われている。このようなエアタグの表示を行うことによって、災害発生時にユーザーがパニック状態になっていても、当該ユーザーは迷うことなく避難経路をたどることが可能となっている。
【先行技術文献】
【特許文献】
【０００６】
【特許文献１】特開２０１３−１９５０９５号公報
【発明の概要】
【発明が解決しようとする課題】
【０００７】
ところで、従来の避難誘導アプリでは、上述した通行不可情報の設定は、地図が表示されている画面上でユーザーが通行不可の位置（地点）を指定することによって行われる。典型的には、位置の指定は、タップと呼ばれる操作によって行われる。その際、通行不可の位置を正確に指定するためには、地図の移動や拡大などの操作を繰り返し行う必要がある。しかしながら、災害発生時などの緊急時にこのような繰り返しの操作が必要となることは、ユーザーにとって心理的負担が極めて大きい。また、パニック状態下で正確なタップを行うことは難しく、地図上で誤った位置の指定が行われることも考えられる。このような場合には、通行不可情報を考慮した正しい避難経路をユーザーに提示することができない。以上のことから、ユーザーにとっては、簡単な操作で確実に通行不可状態を設定できることが好ましい。また、避難誘導アプリ以外の一般的な経路案内アプリについても、例えば混雑情報などの設定を簡単な操作で行えることが好ましい。
【０００８】
そこで、本発明は、経路の通行状態に関する情報（通行不可情報、混雑情報など）をユーザーが迅速に設定することのできる経路案内装置を実現することを目的とする。
【課題を解決するための手段】
【０００９】
第１の発明は、目的地までの進行経路を案内するための経路案内装置であって、
撮影手段と、
前記撮影手段による撮影中の映像を所定の映像表示領域に表示する映像表示手段と、
目的地までの進行経路の探索を行う経路探索手段と、
前記経路探索手段によって得られた進行経路を示す拡張現実画像を、前記映像表示領域に表示されている映像に重ねて表示する拡張現実画像表示手段と、
現在位置を検出するＧＰＳ処理手段と、
利用者による前記拡張現実画像の選択または前記拡張現実画像の近傍の位置の選択があったときに、前記拡張現実画像によって示されている進行経路上の位置であって前記ＧＰＳ処理手段によって検出された現在位置から予め定められた距離だけ先の位置が所定の通行状態である旨を示す通行状態情報の設定を行う通行情報設定手段と
を備え、
前記ＧＰＳ処理手段によって検出された現在位置から前記拡張現実画像によって示されている進行経路に沿って延びる方向を第１の方向と定義し、かつ、前記ＧＰＳ処理手段によって検出された現在位置から利用者によって選択された前記映像表示領域上の位置に対応する実際の位置へと向かう方向を第２の方向と定義したとき、前記通行情報設定手段は、前記第１の方向と前記第２の方向とがなす角度が予め定められた角度以下であれば、利用者によって前記拡張現実画像の近傍の位置が選択されたと判断することを特徴とする。
【００１２】
第２の発明は、目的地までの進行経路を案内するための経路案内装置であって、
撮影手段と、
前記撮影手段による撮影中の映像を所定の映像表示領域に表示する映像表示手段と、
目的地までの進行経路の探索を行う経路探索手段と、
前記経路探索手段によって得られた進行経路を示す拡張現実画像を、前記映像表示領域に表示されている映像に重ねて表示する拡張現実画像表示手段と、
現在位置を検出するＧＰＳ処理手段と、
利用者による前記拡張現実画像の選択があったときに、前記拡張現実画像によって示されている進行経路上の位置であって前記ＧＰＳ処理手段によって検出された現在位置から予め定められた距離だけ先の位置が所定の通行状態である旨を示す通行状態情報の設定を行う通行情報設定手段と
を備えることを特徴とする。
【００１３】
第３の発明は、第２の発明において、
前記拡張現実画像によって示されている進行経路上の位置であって前記ＧＰＳ処理手段によって検出された現在位置から予め定められた距離だけ先の位置を指定位置と定義したとき、前記通行情報設定手段は、利用者による前記拡張現実画像の選択があったときに、更に、前記指定位置を中心とする予め定められた範囲内の位置が前記所定の通行状態である旨の設定を行うことを特徴とする。
【００１４】
第４の発明は、第１から第３までのいずれかの発明において、
前記経路探索手段は、前記通行情報設定手段によって前記通行状態情報の設定が行われると、利用者による操作を介することなく、設定された前記通行状態情報を考慮して進行経路の再探索を行うことを特徴とする。
【００１５】
第５の発明は、第１から第４までのいずれかの発明において、
前記通行情報設定手段は、
前記通行状態情報の設定を行う前に、設定を許可するか否かを利用者に選択させるための確認画面を表示し、
設定を許可する旨の選択が利用者によって行われた場合にのみ前記通行状態情報の設定を行うことを特徴とする。
【００１６】
第６の発明は、第１から第５までのいずれかの発明において、
前記通行情報設定手段は、前記拡張現実画像によって示されている進行経路上の位置であって前記ＧＰＳ処理手段によって検出された現在位置から予め定められた距離だけ先の位置が通行不可の状態または混雑している状態である旨を示す前記通行状態情報の設定を行うことを特徴とする。
【００１７】
第７の発明は、第１から第６までのいずれかの発明において、
前記経路探索手段は、目的地までの進行経路として避難所までの避難経路の探索を行うことを特徴とする。
【００１８】
第８の発明は、目的地までの進行経路を映像表示領域を有する端末装置を用いて案内する経路案内方法であって、
前記端末装置が備える撮影手段が利用者による操作に基づき撮影を行う撮影ステップと、
前記端末装置が備える映像表示手段が前記撮影ステップによる撮影中の映像を前記映像表示領域に表示する映像表示ステップと、
前記端末装置が備える経路探索手段が目的地までの進行経路の探索を行う経路探索ステップと、
前記端末装置が備える拡張現実画像表示手段が、前記経路探索ステップで得られた進行経路を示す拡張現実画像を、前記映像表示領域に表示されている映像に重ねて表示する拡張現実画像表示ステップと、
前記端末装置が備えるＧＰＳ処理手段が現在位置を検出するＧＰＳ処理ステップと、
利用者による前記拡張現実画像の選択または前記拡張現実画像の近傍の位置の選択があったときに、前記端末装置が備える通行情報設定手段が、前記拡張現実画像によって示されている進行経路上の位置であって前記ＧＰＳ処理ステップで検出された現在位置から予め定められた距離だけ先の位置が所定の通行状態である旨を示す通行状態情報の設定を行う通行情報設定ステップと、
を含み、
前記ＧＰＳ処理ステップで検出された現在位置から前記拡張現実画像によって示されている進行経路に沿って延びる方向を第１の方向と定義し、かつ、前記ＧＰＳ処理ステップで検出された現在位置から利用者によって選択された前記映像表示領域上の位置に対応する実際の位置へと向かう方向を第２の方向と定義したとき、前記通行情報設定ステップでは、前記第１の方向と前記第２の方向とがなす角度が予め定められた角度以下であれば、利用者によって前記拡張現実画像の近傍の位置が選択されたと判断されることを特徴とする。
第９の発明は、目的地までの進行経路を映像表示領域を有する端末装置を用いて案内する経路案内方法であって、
前記端末装置が備える撮影手段が利用者による操作に基づき撮影を行う撮影ステップと、
前記端末装置が備える映像表示手段が前記撮影ステップによる撮影中の映像を前記映像表示領域に表示する映像表示ステップと、
前記端末装置が備える経路探索手段が目的地までの進行経路の探索を行う経路探索ステップと、
前記端末装置が備える拡張現実画像表示手段が、前記経路探索ステップで得られた進行経路を示す拡張現実画像を、前記映像表示領域に表示されている映像に重ねて表示する拡張現実画像表示ステップと、
前記端末装置が備えるＧＰＳ処理手段が現在位置を検出するＧＰＳ処理ステップと、
利用者による前記拡張現実画像の選択があったときに、前記端末装置が備える通行情報設定手段が、前記拡張現実画像によって示されている進行経路上の位置であって前記ＧＰＳ処理ステップで検出された現在位置から予め定められた距離だけ先の位置が所定の通行状態である旨を示す通行状態情報の設定を行う通行情報設定ステップと
を含むことを特徴とする。
【００１９】
第１０の発明は、目的地までの進行経路を案内するための経路案内プログラムであって、
映像表示領域を有する端末装置に、
撮影を行う撮影ステップと、
前記撮影ステップによる撮影中の映像を前記映像表示領域に表示する映像表示ステップと、
目的地までの進行経路の探索を行う経路探索ステップと、
前記経路探索ステップで得られた進行経路を示す拡張現実画像を、前記映像表示領域に表示されている映像に重ねて表示する拡張現実画像表示ステップと、
現在位置を検出するＧＰＳ処理ステップと、
利用者による前記拡張現実画像の選択または前記拡張現実画像の近傍の位置の選択があったときに、前記拡張現実画像によって示されている進行経路上の位置であって前記ＧＰＳ処理ステップで検出された現在位置から予め定められた距離だけ先の位置が所定の通行状態である旨を示す通行状態情報の設定を行う通行情報設定ステップと
を実行させ、
前記ＧＰＳ処理ステップで検出された現在位置から前記拡張現実画像によって示されている進行経路に沿って延びる方向を第１の方向と定義し、かつ、前記ＧＰＳ処理ステップで検出された現在位置から利用者によって選択された前記映像表示領域上の位置に対応する実際の位置へと向かう方向を第２の方向と定義したとき、前記通行情報設定ステップでは、前記第１の方向と前記第２の方向とがなす角度が予め定められた角度以下であれば、利用者によって前記拡張現実画像の近傍の位置が選択されたと判断されることを特徴とする。
【００２２】
第１１の発明は、目的地までの進行経路を案内するための経路案内プログラムであって、
映像表示領域を有する端末装置に、
撮影を行う撮影ステップと、
前記撮影ステップによる撮影中の映像を前記映像表示領域に表示する映像表示ステップと、
目的地までの進行経路の探索を行う経路探索ステップと、
前記経路探索ステップで得られた進行経路を示す拡張現実画像を、前記映像表示領域に表示されている映像に重ねて表示する拡張現実画像表示ステップと、
現在位置を検出するＧＰＳ処理ステップと、
利用者による前記拡張現実画像の選択があったときに、前記拡張現実画像によって示されている進行経路上の位置であって前記ＧＰＳ処理ステップで検出された現在位置から予め定められた距離だけ先の位置が所定の通行状態である旨を示す通行状態情報の設定を行う通行情報設定ステップと
を実行させることを特徴とする。
【００２３】
第１２の発明は、第１１の発明において、
前記拡張現実画像によって示されている進行経路上の位置であって前記ＧＰＳ処理ステップで検出された現在位置から予め定められた距離だけ先の位置を指定位置と定義したとき、前記通行情報設定ステップでは、利用者による前記拡張現実画像の選択があったときに、更に、前記指定位置を中心とする予め定められた範囲内の位置が前記所定の通行状態である旨の設定が行われることを特徴とする。
【００２４】
第１３の発明は、第１０から第１２までのいずれかの発明において、
前記経路探索ステップでは、前記通行情報設定ステップで前記通行状態情報の設定が行われると、利用者による操作を介することなく、設定された前記通行状態情報を考慮して進行経路の再探索が行われることを特徴とする。
【００２５】
第１４の発明は、第１０から第１３までのいずれかの発明において、
前記通行情報設定ステップでは、
前記通行状態情報の設定が行われる前に、設定を許可するか否かを利用者に選択させるための確認画面が表示され、
設定を許可する旨の選択が利用者によって行われた場合にのみ前記通行状態情報の設定が行われることを特徴とする。
【００２６】
第１５の発明は、第１０から第１４までのいずれかの発明において、
前記通行情報設定ステップでは、前記拡張現実画像によって示されている進行経路上の位置であって前記ＧＰＳ処理ステップで検出された現在位置から予め定められた距離だけ先の位置が通行不可の状態または混雑している状態である旨の設定が行われることを特徴とする。
【００２７】
第１６の発明は、第１０から第１５までのいずれかの発明において、
前記経路探索ステップでは、目的地までの進行経路として避難所までの避難経路の探索が行われることを特徴とする。
【００２８】
第１７の発明は、サーバと複数の端末装置とがネットワークを介して接続される経路案内システムであって、
各端末装置は、
撮影手段と、
前記撮影手段による撮影中の映像を所定の映像表示領域に表示する映像表示手段と、
目的地までの進行経路の探索を行う経路探索手段と、
前記経路探索手段によって得られた進行経路を示す拡張現実画像を、前記映像表示領域に表示されている映像に重ねて表示する拡張現実画像表示手段と、
現在位置を検出するＧＰＳ処理手段と、
利用者による前記拡張現実画像の選択があったときに、前記拡張現実画像によって示されている進行経路上の位置であって前記ＧＰＳ処理手段によって検出された現在位置から予め定められた距離だけ先の位置が所定の通行状態である旨を示す通行状態情報の設定を行う通行情報設定手段と、
利用者による前記拡張現実画像の選択があった時に前記撮影手段による撮影中の映像を写真画像として取得する写真画像取得手段と、
前記写真画像取得手段によって取得された写真画像および前記ＧＰＳ処理手段によって検出された現在位置を表す現在位置情報を前記サーバに送信するデータ送信手段と、
他の端末装置で取得され前記サーバから送信された写真画像を表示する写真画像表示手段と
を備え、
前記サーバは、
前記データ送信手段によって送信された写真画像を共有情報として記憶する写真画像記憶手段と、
各端末装置から送信された現在位置情報に基づいて、当該各端末装置に送信すべき共有情報を前記写真画像記憶手段から取り出し、その取り出した共有情報を当該各端末装置に送信する写真画像送信手段と
を備え、
各端末装置には、前記共有情報の位置を示すマークが表示され、
各端末装置で前記マークの選択が行われると、当該各端末装置において、前記写真画像表示手段は、選択されたマークに対応する共有情報としての写真画像を表示することを特徴とする。
【００２９】
第１８の発明は、サーバと複数の端末装置とがネットワークを介して接続される経路案内システムを利用した経路案内方法であって、
各端末装置において当該各端末装置が備える撮影手段が利用者による操作に基づき撮影を行う撮影ステップと、
各端末装置において当該各端末装置が備える映像表示手段が前記撮影ステップによる撮影中の映像を所定の映像表示領域に表示する映像表示ステップと、
各端末装置において当該各端末装置が備える経路探索手段が目的地までの進行経路の探索を行う経路探索ステップと、
各端末装置において、当該各端末装置が備える拡張現実画像表示手段が、前記経路探索ステップで得られた進行経路を示す拡張現実画像を、前記映像表示領域に表示されている映像に重ねて表示する拡張現実画像表示ステップと、
各端末装置において当該各端末装置が備えるＧＰＳ処理手段が現在位置を検出するＧＰＳ処理ステップと、
各端末装置において、利用者による前記拡張現実画像の選択があったときに、当該各端末装置が備える通行情報設定手段が、前記拡張現実画像によって示されている進行経路上の位置であって前記ＧＰＳ処理ステップで検出された現在位置から予め定められた距離だけ先の位置が所定の通行状態である旨を示す通行状態情報の設定を行う通行情報設定ステップと、
各端末装置において、利用者による前記拡張現実画像の選択があった時に当該各端末装置が備える写真画像取得手段が前記撮影ステップによる撮影中の映像を写真画像として取得する写真画像取得ステップと、
各端末装置において、当該各端末装置が備えるデータ送信手段が前記写真画像取得ステップで取得された写真画像および前記ＧＰＳ処理ステップで検出された現在位置を表す現在位置情報を前記サーバに送信するデータ送信ステップと、
各端末装置において、当該各端末装置が備える写真画像表示手段が他の端末装置で取得され前記サーバから送信された写真画像を表示する写真画像表示ステップと、
前記サーバが前記データ送信ステップで送信された写真画像を共有情報として所定の写真画像記憶手段に記憶する写真画像記憶ステップと、
前記サーバにおいて、写真画像送信手段が、各端末装置から送信された現在位置情報に基づいて、当該各端末装置に送信すべき共有情報を前記写真画像記憶手段から取り出し、その取り出した共有情報を当該各端末装置に送信する写真画像送信ステップと
を含み、
各端末装置には、前記共有情報の位置を示すマークが表示され、
各端末装置で前記マークの選択が行われると、前記写真画像表示ステップでは、選択されたマークに対応する共有情報としての写真画像が表示されることを特徴とする。
【００３０】
第１９の発明は、目的地までの進行経路を案内するための経路案内プログラムであって、
サーバと複数の端末装置とがネットワークを介して接続される経路案内システムにおいて前記端末装置に、
撮影を行う撮影ステップと、
前記撮影ステップによる撮影中の映像を所定の映像表示領域に表示する映像表示ステップと、
目的地までの進行経路の探索を行う経路探索ステップと、
前記経路探索ステップで得られた進行経路を示す拡張現実画像を、前記映像表示領域に表示されている映像に重ねて表示する拡張現実画像表示ステップと、
現在位置を検出するＧＰＳ処理ステップと、
利用者による前記拡張現実画像の選択があったときに、前記拡張現実画像によって示されている進行経路上の位置であって前記ＧＰＳ処理ステップで検出された現在位置から予め定められた距離だけ先の位置が所定の通行状態である旨を示す通行状態情報の設定を行う通行情報設定ステップと、
利用者による前記拡張現実画像の選択があった時に前記撮影ステップによる撮影中の映像を写真画像として取得する写真画像取得ステップと、
前記写真画像取得ステップで取得された写真画像および前記ＧＰＳ処理ステップで検出された現在位置を表す現在位置情報を前記サーバに送信するデータ送信ステップと、
他の端末装置で取得され前記サーバから送信された写真画像を表示する写真画像表示ステップと
を実行させることを特徴とする。
【発明の効果】
【００３１】
上記第１の発明によれば、映像表示領域に表示されている拡張現実画像（進行経路を表す拡張現実画像）が利用者によって選択されると、進行経路上の位置が所定の通行状態（通行不可の状態や混雑している状態など）に設定される。このため、ユーザーは、進行経路を移動中に所定の通行状態に遭遇した場合に、進行経路を表す拡張現実画像または当該拡張現実画像の近傍の位置を選択（例えばタップ）するだけで、進行経路上の位置が所定の通行状態である旨の情報を設定することができる。すなわち、ユーザーは、従来のような繰り返しの操作を行うことなく、速やかに所望の情報を設定することが可能となる。また、拡張現実画像の表示位置に誤差が生じることやユーザーが切迫した状態になっていることなどによって正確な位置の選択が難しい状況下であっても、ユーザーは速やかに所望の情報を設定することが可能となる。以上より、経路の通行状態に関する情報をユーザーが迅速に設定することのできる経路案内装置が実現される。
【００３４】
上記第２の発明によれば、映像表示領域に表示されている拡張現実画像（進行経路を表す拡張現実画像）が利用者によって選択されると、進行経路上の位置が所定の通行状態（通行不可の状態や混雑している状態など）に設定される。このため、ユーザーは、進行経路を移動中に所定の通行状態に遭遇した場合に、進行経路を表す拡張現実画像を選択（例えばタップ）するだけで、進行経路上の位置が所定の通行状態である旨の情報を設定することができる。すなわち、ユーザーは、従来のような繰り返しの操作を行うことなく、速やかに所望の情報を設定することが可能となる。以上より、経路の通行状態に関する情報をユーザーが迅速に設定することのできる経路案内装置が実現される。また、ＧＰＳ処理手段によって得られるデータに誤差が生じていても、実際の通行状態を考慮して進行経路の探索が正しく実行される。
【００３５】
上記第３の発明によれば、道路の幅も考慮した進行経路の探索の結果が得られる。
【００３６】
上記第４の発明によれば、ユーザーによって設定された情報（経路の通行状態に関する情報）を考慮した進行経路の探索が速やかに実行される。
【００３７】
上記第５の発明によれば、誤操作等によって情報の設定が行われることを防止することが可能となる。
【００３８】
上記第６の発明によれば、ユーザーは、進行経路上の位置が通行不可の状態または混雑している状態である旨の設定を速やかに行うことが可能となる。
【００３９】
上記第７の発明によれば、避難経路上の通行状態に関する情報をユーザーが迅速に設定することのできる経路案内装置が実現される。
【００４０】
上記第８の発明によれば、上記第１の発明と同様の効果を経路案内方法の発明において奏することができる。
上記第９の発明によれば、上記第２の発明と同様の効果を経路案内方法の発明において奏することができる。
【００４１】
上記第１０から上記第１６の発明によれば、それぞれ上記第１から上記第７の発明と同様の効果を経路案内プログラムの発明において奏することができる。
【００４２】
上記第１７の発明によれば、端末装置でユーザーによって拡張現実画像が選択されると、写真撮影が行われ、写真画像がサーバに送信される。サーバに送信された写真画像は写真画像記憶手段に格納される。写真画像記憶手段に格納された写真画像は、各端末装置から送信される現在位置情報に基づいて、端末装置に適宜送信される。そして、端末装置では、サーバから送信された写真画像が写真画像表示手段によって表示される。これにより、各ユーザーは、他のユーザーによって経路の通行状態に関する設定が行われた位置についての詳しい状況を写真で確認することが可能となる。また、拡張現実画像が選択された際の写真撮影はユーザーの操作を介することなく行われる。このため、ユーザーに写真撮影のための時間ロスを生じさせることなく、当該ユーザーが遭遇した状況を写した写真画像を共有情報としてサーバに蓄積することが可能となる。これにより、経路の通行状態を確認することのできる写真画像が効率的にサーバに蓄積される。
【００４３】
上記第１８の発明によれば、上記第１７の発明と同様の効果を経路案内方法の発明において奏することができる。
【００４４】
上記第１９の発明によれば、各ユーザーは、他のユーザーによって経路の通行状態に関する設定が行われた位置についての詳しい状況を写真で確認することが可能となる。
【図面の簡単な説明】
【００４５】
【図１】本発明の第１の実施形態に係る避難誘導システムを実現する機器構成を示すブロック図である。
【図２】上記第１の実施形態において、携帯端末装置のハードウェア構成を示すブロック図である。
【図３】上記第１の実施形態において、画面モードが映像モードであるときの表示について説明するための図である。
【図４】上記第１の実施形態において、画面モードが映像モードであるときの表示について説明するための図である。
【図５】上記第１の実施形態において、携帯端末装置の詳細な機能構成を示すブロック図である。
【図６】上記第１の実施形態において、個人状況入力手段の一画面例を示す図である。
【図７】上記第１の実施形態において、移動可能距離入力手段の一画面例を示す図である。
【図８】上記第１の実施形態において、地図表示手段による地図の表示および映像表示手段による風景映像の表示について説明するための図である。
【図９】上記第１の実施形態において、エアタグ表示手段による避難経路を示すエアタグ（拡張現実画像）の表示について説明するための図である。
【図１０】上記第１の実施形態において、エアタグ表示手段によるエアタグの表示例を示す図である。
【図１１】上記第１の実施形態において、サーバの詳細な機能構成を示すブロック図である。
【図１２】上記第１の実施形態において、避難誘導アプリの起動から最初の経路探索の結果が表示されるまでの処理フローを示すフローチャートである。
【図１３】上記第１の実施形態において、画面モードが映像モードであるときに映像表示領域のタップが行われた際の処理フローを示すフローチャートである。
【図１４】各種センサで得られたデータに誤差が生じたときのエアタグの表示例を示す図である。
【図１５】エアタグから少し離れた位置がタップされた状態を示す図である。
【図１６】上記第１の実施形態において、タップが有効であるか否かの判断について説明するための図である。
【図１７】ＧＰＳセンサで得られるデータの誤差について説明するための図である。
【図１８】検出位置そのものの位置を通行不可の状態に設定した場合について説明するための図である。
【図１９】上記第１の実施形態において、通行不可の状態に設定する位置について説明するための図である。
【図２０】上記第１の実施形態において、実位置よりも１０ｍ手前の位置が検出位置となった場合の設定について説明するための図である。
【図２１】上記第１の実施形態において、通行不可情報の設定について説明するための図である。
【図２２】上記第１の実施形態において、通行不可の状態に設定される範囲について説明するための図である。
【図２３】上記第１の実施形態において、通行不可を示すエアタグの表示例を示す図である。
【図２４】上記第１の実施形態において、映像表示領域がタップされたときに表示される確認画面の一例を示す図である。
【図２５】本発明の第２の実施形態の概要について説明するための図である。
【図２６】上記第２の実施形態において、携帯端末装置の詳細な機能構成を示すブロック図である。
【図２７】上記第２の実施形態において、共有情報が存在する位置を示すマークの地図への表示例を示す図である。
【図２８】上記第２の実施形態において、サーバの詳細な機能構成を示すブロック図である。
【図２９】上記第２の実施形態において、画面モードが映像モードであるときに映像表示領域のタップが行われた際の処理フローを示すフローチャートである。
【図３０】上記第２の実施形態において、写真画像取得手段による写真画像の取得について説明するための図である。
【図３１】上記第２の実施形態において、写真画像の例を示す図である。
【発明を実施するための形態】
【００４６】
以下、添付図面を参照しつつ本発明の実施形態について説明する。なお、以下においては、「アプリケーションソフトウェア」のことを「アプリ」と略記している。
【００４７】
＜１．第１の実施形態＞
＜１．１  全体構成＞
図１は、本発明の第１の実施形態に係る避難誘導システムを実現する機器構成を示すブロック図である。この避難誘導システムは、サーバ２０と複数の携帯端末装置１０とによって実現される。サーバ２０と携帯端末装置１０とは、インターネットなどの通信回線を介して接続されている。本実施形態においては、この避難誘導システムを実現するために、避難誘導アプリが携帯端末装置１０にインストールされる。避難誘導アプリは、地震などの災害が発生した際にユーザーに現在位置から避難所までの避難経路を提示するためのソフトウェアである。ユーザーは、所定の操作により避難誘導アプリを起動することができる。このような避難誘導アプリを携帯端末装置１０にインストールしておくことにより、ユーザーは、例えば土地勘のない場所で災害に遭遇しても、避難誘導アプリを使用することによって避難所に容易にたどり着くことが可能となる。
【００４８】
図２は、携帯端末装置１０のハードウェア構成を示すブロック図である。携帯端末装置１０は、ＣＰＵ１１，フラッシュＲＯＭ１２，ＲＡＭ１３，通信制御部１４，映像撮影部（カメラ）１５，入力操作部１６，表示部１７，ＧＰＳセンサ１８ａ，傾きセンサ（加速度センサ）１８ｂ，および地磁気センサ１８ｃを有している。ＣＰＵ１１は、この携帯端末装置１０の全体を制御するために各種演算処理等を行う。フラッシュＲＯＭ１２は、書き込み可能な不揮発性のメモリであって、携帯端末装置１０の電源がオフされても保持されるべき各種プログラム・各種データを格納する。ＲＡＭ１３は、書き込み可能な揮発性のメモリであって、実行中のプログラムやデータ等を一時的に格納する。通信制御部１４は、外部へのデータ送信の制御や外部からのデータ受信の制御を行う。映像撮影部（カメラ）１５は、ユーザーによる操作に基づいて、現在位置から見える風景の撮影を行う。入力操作部１６は、例えばタッチパネルであって、ユーザーによる入力操作を受け付ける。表示部１７は、ＣＰＵ１１からの指令に基づいて、画像の表示を行う。ＧＰＳセンサ１８ａは、ＧＰＳ衛星から受信する電波に基づいて、ユーザーの現在位置を特定するための位置情報（緯度・経度の情報）を取得する。傾きセンサ１８ｂは、この携帯端末装置１０の傾きを示す角度情報を取得する。地磁気センサ１８ｃは、この携帯端末装置１０の向いている方位（例えば表示部１７の向いている方位）を示す方位情報を取得する。
【００４９】
避難誘導アプリが実行されているとき、画面モードは地図モードと映像モードとの間で切り替えられる。携帯端末装置１０の表示面が比較的水平に近い状態であれば、画面モードは地図モードとなり、携帯端末装置１０の表示面が比較的垂直に近い状態であれば、画面モードは映像モードとなる。なお、表示面の角度については、傾きセンサ１８ｂによって取得される。画面モードが地図モードのときには、表示部１７のほぼ全体に地図が表示される。画面モードが映像モードのときには、映像撮影部１５による撮影で得られる映像（風景映像）が表示部１７に表示される。画面モードが地図モードから映像モードに切り替えられると、表示部１７内の領域は、例えば図３に示すように、地図を表示するための領域（以下、「地図表示領域」という。）１７ａと風景映像を表示するための領域（以下、「映像表示領域」という。）１７ｂとに分割される。なお、映像表示領域１７ｂの下方には、地図を非表示にするための地図ＯＦＦボタン１７１が設けられる。地図ＯＦＦボタン１７１がタップされると、図４に示すように、表示部１７のほぼ全体が映像表示領域１７ｂとなる。表示部１７の状態が図４に示した状態になっているときに地図ＯＮボタン１７２がタップされると、表示部１７の状態は図３に示した状態に戻る。
【００５０】
携帯端末装置１０内において、避難誘導アプリを実現する避難誘導プログラムは、フラッシュＲＯＭ１２に格納される。ユーザーによって避難誘導アプリの起動が指示されると、フラッシュＲＯＭ１２に格納されている避難誘導プログラムがＲＡＭ１３に読み出され、そのＲＡＭ１３に読み出された避難誘導プログラムをＣＰＵ１１が実行することにより、避難誘導アプリの機能がユーザーに提供される。なお、避難誘導プログラムは、典型的にはインターネットなどの通信回線を介して所定のサーバ（不図示）から携帯端末装置１０にダウンロードされ、当該携帯端末装置１０内のフラッシュＲＯＭ１２にインストールされる。このように避難誘導プログラムが携帯端末装置１０にインストールされることにより、本発明に係る経路案内装置が当該携帯端末装置１０によって実現される。
【００５１】
＜１．２  機能構成＞
＜１．２．１  携帯端末装置＞
図５は、携帯端末装置１０の詳細な機能構成を示すブロック図である。携帯端末装置１０は、ＧＰＳ情報取得手段１００，観光機能選択手段１１０，データ送信手段１２０，データ受信手段１２１，データ記憶手段１３０，避難経路探索手段１４０，個人状況入力手段１４１，移動可能距離入力手段１４２，通行情報設定手段１４３，地図表示手段１５０，観光情報表示手段１６０，撮影手段１７０，映像表示手段１８０，およびエアタグ表示手段１９０を有している。
【００５２】
なお、本実施形態においては、ＧＰＳ情報取得手段１００によってＧＰＳ処理手段が実現され、避難経路探索手段１４０によって経路探索手段が実現され、エアタグ表示手段１９０によって拡張現実画像表示手段が実現されている。
【００５３】
ＧＰＳ情報取得手段１００は、ＧＰＳ衛星から受信する電波に基づいてユーザーの現在位置を特定するための位置情報（緯度・経度の情報）を取得し、その位置情報を示すＧＰＳ情報Ｇｄａを出力する。なお、ＧＰＳ情報取得手段１００は、ハードウェアとしてのＧＰＳセンサ１８ａ（図２参照）によって実現される。
【００５４】
観光機能選択手段１１０は、ユーザーの所望する観光機能（観光施設の各種情報の提示，観光コースの案内，宿泊施設・飲食店・土産店の紹介など）をユーザーに選択させるための手段である。ユーザーが観光機能を選択すると、観光機能選択手段１１０は、ユーザーによって選択された観光機能を示す機能選択情報Ｆｄａを出力する。このように、本実施形態における避難誘導アプリは、平常時には観光のための情報をユーザーに提供することが可能となっている。但し、本発明はこれに限定されず、観光情報をユーザーに提供するための機能は必ずしも携帯端末装置１０に設けられていなくても良い。
【００５５】
データ送信手段１２０は、ＧＰＳ情報Ｇｄａおよび機能選択情報Ｆｄａをユーザー情報Ｙｄａとしてサーバ２０に送信する。なお、ＧＰＳ情報Ｇｄａは、例えば、ユーザーがこの避難誘導アプリを起動したタイミングおよびユーザーがこの避難誘導アプリを用いて何らかの操作を行ったタイミングで、携帯端末装置１０からサーバ２０へと送信される。また、ユーザーがこの避難誘導アプリを使用している期間中、所定期間毎にＧＰＳ情報Ｇｄａが携帯端末装置１０からサーバ２０に送信されるようにしても良い。
【００５６】
データ受信手段１２１は、サーバ２０から送信されるサーバデータＳｄａを受信する。このサーバデータＳｄａには、避難経路の探索に有用なデータである有意情報Ｍｄａと、観光機能選択手段１１０によってユーザーに選択された観光機能に対応するデータである観光情報Ｋｄａとが含まれている。有意情報Ｍｄａには、地図，道路情報，避難所情報などが含まれている。サーバ２０から送信されたサーバデータＳｄａのうちの有意情報Ｍｄａは、データ記憶手段１３０に格納される。なお、データ記憶手段１３０はハードウェアとしてのフラッシュＲＯＭ１２またはＲＡＭ１３（図２参照）によって実現される。また、避難誘導プログラムが携帯端末装置１０にインストールされる際に有意情報Ｍｄａをデータ記憶手段１３０にダウンロードしておくことによって、災害発生時に通信状態にかかわらず避難経路の探索を実行することが可能となる。
【００５７】
個人状況入力手段１４１は、災害が発生した際のユーザー（被災者）の被災状況や運動能力（避難経路上の障害を回避・克服できる能力）をユーザーに入力させるための手段である。この個人状況入力手段１４１は、表示部１７に例えば図６に示すような画面を表示することによって実現される。図６に示すように、例えば「登れる」，「走れる」，「平坦のみ」，「車いす」，「足の怪我」，「歩けない」，「担架」，「子連れ」，「乳母車」などの状態を示すボタンが表示される。ユーザーは、該当する状態を示すボタンをタップするだけで良い。個人状況入力手段１４１によって入力された内容を示す個人状況情報Ｉｄａは、避難経路探索手段１４０によって使用される。
【００５８】
なお、図６に示した画面は一例であって、画面のレイアウトや画面に表示される項目はこれには限定されない。この点については、後述する移動可能距離入力手段１４２（図７参照）についても同様である。
【００５９】
移動可能距離入力手段１４２は、災害が発生した際のユーザー（被災者）の移動手段や移動可能距離をユーザーに入力させるための手段である。この移動可能距離入力手段１４２は、表示部１７に例えば図７に示すような画面を表示することによって実現される。図７に示すように、例えば「徒歩」，「自転車」，「車」などの移動手段を示すボタンと、移動可能距離の入力が可能な入力ボックスとが表示される。ユーザーは、該当する移動手段を示すボタンをタップし、移動可能距離を入力する。移動可能距離入力手段１４２によって入力された内容を示す移動能力情報Ｄｄａは、避難経路探索手段１４０によって使用される。
【００６０】
通行情報設定手段１４３は、画面モードが映像モードになっているときに、ユーザーによる映像表示領域１７ｂのタップに基づいて、避難経路上の位置が通行不可の状態である旨を示す通行不可情報の設定を行う。本実施形態においては、この通行不可情報によって通行状態情報が実現されている。通行情報設定手段１４３によって設定された通行不可情報Ｔｄａは、避難経路探索手段１４０によって使用される。なお、通行不可情報の設定についての詳しい説明は後述する。
【００６１】
避難経路探索手段１４０は、ＧＰＳ情報Ｇｄａと、ユーザーによって入力された情報（個人状況情報Ｉｄａ，移動能力情報Ｄｄａ）と、上述した通行不可情報Ｔｄａと、サーバ２０から送信されデータ記憶手段１３０に格納されている有意情報Ｍｄａとに基づいて、経路探索（ユーザーにとっての最適な避難所・避難経路の探索）を行う。観光情報表示手段１６０は、観光情報Ｋｄａを表示部１７に表示する。
【００６２】
地図表示手段１５０は、データ記憶手段１３０に格納されている有意情報Ｍｄａに基づいて表示部１７内の地図表示領域１７ａに地図を表示する。その際、避難経路探索手段１４０によって既に経路探索が実行されている場合には、探索結果Ｒｅが地図に反映される。これにより、例えば図８に示すように、地図および避難経路を示すライン（符号３１を付したライン）が地図表示領域１７ａに表示される。この地図表示手段１５０には、表示モードとして、ヘディングアップモードとノースアップモードとが用意されている。ヘディングアップモードとは、ユーザーの進行方向が常に画面上において上方向となるように、ユーザーの進行方向に応じて地図を回転させながら表示するモードである。ノースアップモードとは、北方向が画面上において上方向となるように地図を表示するモードである。また、この地図表示手段１５０は、ピンチ操作（複数の指で画面をつまんだり押し広げたりする操作）等によって地図の拡大・縮小・スクロールが可能なように構成されている。
【００６３】
撮影手段１７０は、風景映像の撮影を行う。なお、撮影手段１７０は、ハードウェアとしての映像撮影部（カメラ）１５（図２参照）によって実現される。映像表示手段１８０は、撮影手段１７０による撮影で得られる風景映像を表示部１７内の映像表示領域１７ｂに表示する。これにより、例えば図８に示すように、映像表示領域１７ｂに風景映像が表示される。
【００６４】
エアタグ表示手段１９０は、探索結果（避難経路探索手段１４０による経路探索の結果）Ｒｅに基づいて、避難経路を示すエアタグ（拡張現実画像）３２を、ユーザーによって撮影されている風景映像に重ねて表示する。これにより、例えば図９に示すように、避難経路を示すエアタグ３２が映像表示領域１７ｂに表示される。このように避難経路を示すエアタグ３２を映像表示領域１７ｂに表示することによって、ユーザーは、たとえパニック状態になっていても、目指すべき方向を容易に把握することが可能となる。なお、例えば図１０に示すように、避難経路を示すエアタグ３２に加えて火災を示すエアタグ３３や水害を示すエアタグ３４などユーザーにとって有用な情報を示す各種エアタグが映像表示領域１７ｂに表示されるようにしても良い。
【００６５】
＜１．２．２  サーバ＞
図１１は、サーバ２０の詳細な機能構成を示すブロック図である。サーバ２０は、ユーザー情報受信手段２１０，有意情報記憶手段２２０，観光情報記憶手段２３０，およびデータ選択・送信手段２４０を有している。
【００６６】
ユーザー情報受信手段２１０は、携帯端末装置１０から送られるユーザー情報Ｙｄａを受信する。なお、ユーザー情報Ｙｄａには、ＧＰＳ情報Ｇｄａおよび機能選択情報Ｆｄａが含まれている。ＧＰＳ情報Ｇｄａおよび機能選択情報Ｆｄａは、データ選択・送信手段２４０に与えられる。
【００６７】
有意情報記憶手段２２０には、避難経路の探索に有用なデータである有意情報Ｍｄａ（地図，道路情報，避難所情報など）が格納されている。観光情報記憶手段２３０には、観光機能によってユーザーに提供するための各種情報（観光施設の情報，観光コースの情報，宿泊施設・飲食店・土産店の情報など）である観光情報Ｋｄａが格納されている。
【００６８】
データ選択・送信手段２４０は、各携帯端末装置１０から送られたＧＰＳ情報Ｇｄａに基づいて、各携帯端末装置１０における避難所・避難経路の探索に必要な有意情報Ｍｄａを有意情報記憶手段２２０から選択する。また、データ選択・送信手段２４０は、各携帯端末装置１０から送られたＧＰＳ情報Ｇｄａと機能選択情報Ｆｄａとに基づいて、ユーザーの所望する観光情報Ｋｄａを観光情報記憶手段２３０から選択する。そして、データ選択・送信手段２４０は、選択した有意情報Ｍｄａおよび観光情報ＫｄａをサーバデータＳｄａとして携帯端末装置１０に送信する。
【００６９】
＜１．３  処理フロー＞
次に、携帯端末装置１０での処理フローについて説明する。まず、避難誘導アプリの起動から最初の経路探索の結果が表示されるまでの処理フローについて説明する。その後、通行不可情報の設定を行うためにユーザーによって表示部１７内の映像表示領域１７ｂがタップされた際の処理フローについて説明する。
【００７０】
＜１．３．１  最初の経路探索の結果が表示されるまでの処理＞
図１２は、避難誘導アプリの起動から最初の経路探索の結果が表示されるまでの処理フローを示すフローチャートである。携帯端末装置１０では、まず、避難誘導アプリが起動される（ステップＳ１００）。避難誘導アプリの起動後、ユーザーは、経路探索機能を選択する（ステップＳ１１０）。そして、ＧＰＳ情報取得手段１００によるＧＰＳ情報Ｇｄａの取得および当該ＧＰＳ情報Ｇｄａのサーバ２０への送信が行われる（ステップＳ１２０）。その後、ＧＰＳ情報Ｇｄａに基づくサーバデータＳｄａの受信が行われる（ステップＳ１３０）。すなわち、ステップＳ１３０では、携帯端末装置１０は、現在位置に応じた有意情報Ｍｄａ（地図，道路情報，避難所情報など）をサーバ２０から受信する。
【００７１】
次に、ユーザーは、個人状況入力手段１４１によって、ユーザーの被災状況や運動能力などの個人状況の入力を行う（ステップＳ１４０）。また、ユーザーは、移動可能距離入力手段１４２によって、移動手段および移動可能距離の入力を行う（ステップＳ１５０）。
【００７２】
ユーザーによって個人状況および移動手段・移動可能距離の入力が行われた後、避難経路探索手段１４０による経路探索（ユーザーにとっての最適な避難所・避難経路を探索する処理）が実行される（ステップＳ１６０）。経路探索の実行後、撮影手段１７によって撮影されている風景映像が表示部１７の映像表示領域１７ｂに表示される（ステップＳ１７０）。
【００７３】
その後、地図表示手段１５０によって、地図，道路，避難所，および避難経路が表示部１７の地図表示領域１７ａに表示される（ステップＳ１８０）。そして、映像表示領域１７ｂに表示されている風景映像に、避難経路を示すエアタグ３２が重ねて表示される（ステップＳ１９０）。以上のようにして、例えば図９に示したような画像が表示部１７に表示される。
【００７４】
＜１．３．２  映像表示領域がタップされた際の処理＞
図１３は、画面モードが映像モードであるときに映像表示領域１７ｂのタップが行われた際の処理フローを示すフローチャートである。ユーザーによって映像表示領域１７ｂのタップが行われると（ステップＳ２００）、映像表示領域１７ｂ上のタップ位置に基づいて、タップが有効であるか否かの判断が行われる（ステップＳ２１０）。このステップＳ２１０での判断について以下に詳しく説明する。
【００７５】
この避難誘導アプリでは、避難経路を示すエアタグ３２をユーザーが選択することによって、通行不可情報の設定が行われる。すなわち、ステップＳ２１０では、タップ位置がエアタグ３２上の位置であれば、タップが有効である旨の判断が行われる。しかしながら、エアタグについては、ＧＰＳセンサ１８ａや地磁気センサ１８ｃで得られるデータの誤差の影響により、映像表示領域１７ｂにおいて正確な位置への表示が行われないことがある。このため、例えば、図９に示したようにエアタグ３２が表示されるべきであるにも関わらず、図１４に示すようにエアタグ３２が表示されることがある。また、ユーザーの手のわずかな動きによってエアタグ３２の表示位置が大きく移動することがある。さらに、災害発生時などの緊急時には正確な位置へのタップが難しいということも考えられる。例えば、ユーザーがエアタグ３２上の位置をタップしようとしているにも関わらず、図１５に示すように、エアタグ３２から少し離れた位置がタップされることもある。そこで、本実施形態においては、タップ位置がエアタグ３２上の位置でなくても、タップ位置がエアタグ３２の近傍の位置であれば、タップが有効である旨の判断が行われる。これについて、図１６を参照しつつ更に詳しく説明する。
【００７６】
図１６は、携帯端末装置１０（表示面を垂直にした状態）および避難経路を上から見た模式図である。映像表示領域１７ｂに表示されているエアタグ３２の最も現在位置側の位置に対応する表示面上の位置（左右方向における位置）に符号５０を付し、当該エアタグ３２に対応する経路に符号５３を付し、ＧＰＳセンサ１８ａ（ＧＰＳ情報取得手段１００）によって検出される現在位置に符号５２を付している。ここで、表示面上においてユーザーによってタップされた位置（左右方向における位置）が符号５１を付した位置であって、その位置に対応する実際の位置が符号５４を付した位置であると仮定する。現在位置５２と位置５４とを結ぶ直線に符号５５を付している。以上のような前提の下、ステップＳ２１０では、経路５３と直線５５とがなす角度Ｋが予め定められた角度以下であれば、タップが有効である旨の判断が行われる。換言すれば、現在位置からエアタグ３２によって示されている避難経路に沿って延びる方向を第１の方向と定義し、かつ、現在位置からユーザーによって選択された映像表示領域１７ｂ上の位置に対応する実際の位置へと向かう方向を第２の方向と定義したとき、第１の方向と第２の方向とがなす角度が予め定められた角度以下であれば、ユーザーによってエアタグ３２の近傍の位置がタップされた（選択された）と判断され、ユーザーによるタップは有効である旨の判断が行われる。なお、判断の基準となる角度（上記角度Ｋとの比較対象となる角度）については、ＧＰＳセンサ１８ａや地磁気センサ１８ｃで得られるデータの精度を考慮して決定される。一例を挙げると、上記第１の方向と上記第２の方向とがなす角度Ｋが１５度以下であれば、ユーザーによってエアタグ３２の近傍の位置がタップされたものと判断される。
【００７７】
ステップＳ２１０では、以上のようにして、タップが有効であるか否かの判断が行われる。ステップＳ２１０でタップが有効ではない旨の判断が行われたときには、通行不可情報の設定に関する処理は特に行われない。一方、ステップＳ２１０でタップが有効である旨の判断が行われたときには、通行不可情報の設定が行われる（ステップＳ２２０）。
【００７８】
ところで、上述したように、ＧＰＳセンサ１８ａで得られるデータには誤差が生じ得る。このため、ＧＰＳセンサ１８ａで検出される現在位置（以下、「検出位置」という。）と携帯端末装置１０の実際の現在位置（以下、「実位置」という。）との間には誤差が生じ得る。現時点では、最大で約１０ｍの誤差が生じている。従って、例えば、図１７で符号５７を付した位置が実位置であっても、図１７で符号５８や符号５９を付した位置が検出位置となることもある。このような誤差が生じ得るため、仮に検出位置そのものの位置を通行不可の状態に設定した場合、経路探索が正しく実行されないおそれが生じる。これについて、図１８を参照しつつ以下に説明する。
【００７９】
図１８において、符号５１０を付した領域が通行不可の状態になっていると仮定する。また、通行不可情報の設定を行うために時点ｔ１に映像表示領域１７ｂのタップが行われたと仮定する。なお、時点ｔ１における実位置には符号５２１を付している。また、時点ｔ１において、ＧＰＳセンサ１８ａによる現在位置の検出に誤差が生じ、符号５２２を付した位置が検出位置になったと仮定する。ここで、検出位置そのものの位置が通行不可の状態に設定される場合、符号５２２を付した位置が通行不可の状態に設定される。このようにして通行不可情報の設定が行われた後、時点ｔ２に経路探索が実行されたと仮定する。なお、時点ｔ２における実位置には符号５２３を付している。この時点ｔ２において仮にＧＰＳセンサ１８ａによる現在位置の検出に誤差が生じなければ、符号５２３を付した位置が検出位置となる。この場合、実際には実位置よりも先の地点（符号５１０を付した領域）が通行不可の状態であるにも関わらず、既に通過した地点（符号５２２を付した位置）が通行不可の状態であるとの設定がなされた状態で経路探索が実行される。その結果、経路探索が正しく実行されず、通行不可の状態になっている領域５１０を通る経路が避難経路として提示されてしまう。
【００８０】
そこで、本実施形態においては、ステップＳ２２０では、図１９に示すように、検出位置（符号６０を付した位置）から２５ｍ先の位置（符号６１を付した位置）が通行不可の状態に設定される。従って、図２０に示すように、仮に実位置（符号６２を付した位置）よりも１０ｍ手前の位置が検出位置（符号６３を付した位置）となった場合、実位置よりも１５ｍ先の位置（符号６４を付した位置）が通行不可の状態に設定される。なお、エアタグの表示（ＡＲ表示）が行われている際のカメラ映像自体が常に携帯端末装置１０の前方数ｍから先の位置を捉えており、ユーザーは必ず通行不可地点の手前から眺めている。この観点からも、進行方向の数ｍ先の位置を通行不可の状態に設定することが必須である。以上のような設定が行われることにより、以下に説明するように、検出位置そのものの位置を通行不可の状態に設定する場合とは異なり経路探索が正しく実行される。
【００８１】
図２１は、本実施形態における通行不可情報の設定について説明するための図である。図２１において、符号６１０を付した領域が通行不可の状態になっていると仮定する。また、通行不可情報の設定を行うために時点ｔ１に映像表示領域１７ｂのタップが行われたと仮定する。なお、時点ｔ１における実位置には符号６２１を付している。また、時点ｔ１において、ＧＰＳセンサ１８ａによる現在位置の検出に誤差が生じ、符号６２２を付した位置が検出位置になったと仮定する。このような場合、本実施形態では、検出位置６２２から２５ｍ先の位置（符号６２３を付した位置）が通行不可の状態に設定される。このようにして通行不可情報の設定が行われた後、時点ｔ２に経路探索が実行されたと仮定する。なお、時点ｔ２における実位置（時点ｔ１における実位置から５ｍ以内の位置とする）には符号６３１を付している。この時点ｔ２においてＧＰＳセンサ１８ａによる現在位置の検出に誤差が生じ、たとえ符号６３２を付した位置が検出位置となっても、当該検出位置６３２よりも先の位置（符号６２３を付した位置）が通行不可の状態に設定されている。このため、通行不可情報を考慮して正しく経路探索が実行される。
【００８２】
なお、本実施形態においては、検出位置から２５ｍ先の位置を通行不可の状態に設定しているが、本発明はこれに限定されない。通行不可の状態に設定する位置については、ＧＰＳセンサ１８ａで得られるデータの精度を考慮して適宜決定すれば良い。
【００８３】
また、ステップＳ２２０では、図２２に示すように、検出位置（符号７０を付した位置）から２５ｍ先の位置（符号７１を付した位置）を中心とする半径５ｍ以内の範囲が通行不可の状態に設定される。これにより、道路の幅も考慮した経路探索の実行結果が得られる。なお、通行不可の状態に設定する範囲についても特に限定されない。すなわち、避難経路上の位置のうちの検出位置から予め定められた距離だけ先の位置を指定位置と定義したとき、指定位置を中心とする予め定められた範囲内の位置が通行不可の状態に設定される。
【００８４】
以上のようにして通行不可情報の設定（ステップＳ２２０）が行われた後、例えば図２３に示すように、映像表示領域１７ｂに通行不可を示すエアタグ３５が表示される（ステップＳ２３０）。そして、ユーザーによる操作を介することなく、避難経路探索手段１４０による避難経路の再探索が行われる（ステップＳ２４０）。なお、ユーザーによる操作（例えば、経路探索の実行を指示するメニューの選択）を介して避難経路の再探索が行われるようにしても良い。
【００８５】
避難経路の再探索後、再探索の結果を示す避難経路が地図表示領域１７ａに表示される（ステップＳ２５０）。そして、再探索後の避難経路を示すエアタグ３２が映像表示領域１７ｂに表示される（ステップＳ２６０）。
【００８６】
なお、本実施形態では、ユーザーによって映像表示領域１７ｂがタップされると、ユーザーによる確認が行われることなく通行付加情報の設定が行われる。しかしながら、本発明はこれに限定されない。映像表示領域１７ｂがタップされたときに例えばＯＫボタン８１およびキャンセルボタン８２を有する図２４に示すような確認画面８０を表示し、ＯＫボタン８１がタップされた場合にのみ通行不可情報の設定が行われるようにしても良い。
【００８７】
＜１．４  効果＞
本実施形態によれば、映像表示領域１７ｂに表示されているエアタグ（避難経路を示すエアタグ）３２がタップされると、避難経路上の位置が通行不可の状態に設定される。このため、ユーザーは、避難所への移動中に通行不可の道路に遭遇した場合に、従来のような繰り返しの操作を行うことなく、速やかに通行不可情報の設定を行うことができる。このように、ユーザーは、災害発生時などの緊急時に、心理的負担を課されることなく通行不可情報の設定を行うことができる。また、本実施形態によれば、避難経路を示すエアタグ３２上の位置がタップされた場合に加えて当該エアタグ３２の近傍の位置がタップされた場合にも、避難経路上の位置が通行不可の状態に設定される。このため、エアタグ３２の表示位置に誤差が生じることや災害発生によってユーザーがパニック状態になっていることなどによって正確な位置へのタップが難しい状況下であっても、ユーザーは速やかに通行不可情報の設定を行うことができる。さらに、本実施形態によれば、ＧＰＳセンサ１８ａによって検出された現在位置よりも２５ｍ先の位置が通行不可の状態に設定される。このため、ＧＰＳセンサ１８ａによって得られるデータに誤差が生じていても、実際の通行不可の状態を考慮して避難経路の探索が正しく実行される。
【００８８】
＜２．第２の実施形態＞
＜２．１  概要＞
避難誘導アプリに関し、従来より、或るユーザーによって入力された情報（通行不可情報など）を共有情報として他のユーザーが参照できるようにすることが提案されている。ところが、或る１つの状況に対する感じ方はユーザーによって様々である。例えば、或る高齢者にとって通行不可と感じられる場所が或る若者にとっては通行できると感じられる場合がある。このようなことから、例えば「通行不可」，「混雑」というような文字レベルの情報が共有情報となっていても、当該共有情報は有効には活用されない。
【００８９】
そこで、本実施形態では、或るユーザーによって通行不可の状態に設定された位置の写真画像を共有情報として他のユーザーが参照できるようにしている。具体的には、携帯端末装置１０で通行不可情報を設定するために映像表示領域１７ｂのタップが行われると、自動的に（すなわち、ユーザーの操作を介することなく）風景映像の写真撮影が行われる。そして、図２５に示すように、写真撮影によって得られた写真画像Ｐｉは携帯端末装置１０からサーバ２０に送信され、当該写真画像Ｐｉは更にサーバ２０から他の携帯端末装置１０へと送信される。以下、本実施形態について詳しく説明する。なお、上記第１の実施形態と同様の点については説明を省略する。
【００９０】
＜２．２  機能構成＞
＜２．２．１  携帯端末装置＞
図２６は、携帯端末装置１０の詳細な機能構成を示すブロック図である。本実施形態における携帯端末装置１０には、上記第１の実施形態における構成要素（図５参照）に加えて、写真画像取得手段１７５および写真画像表示手段１８５が設けられている。
【００９１】
写真画像取得手段１７５は、避難経路を示すエアタグ３２上の位置もしくは当該エアタグ３２の近傍の位置がユーザーによってタップされた時に（すなわち、通行情報設定手段１４３によって通行不可情報Ｔｄａの設定が行われた時に）、撮影手段１７０による撮影中の風景映像を写真画像Ｐｉとして取得する。
【００９２】
データ送信手段１２０は、ユーザー情報Ｙｄａ（ＧＰＳ情報Ｇｄａおよび機能選択情報Ｆｄａ）に加えて、写真画像取得手段１７５によって取得された写真画像Ｐｉおよび通行情報設定手段１４３によって設定された通行不可情報Ｔｄａをサーバ２０に送信する。なお、或る携帯端末装置１０のデータ送信手段１２０によって送信される写真画像Ｐｉおよび通行不可情報Ｔｄａは、他の携帯端末装置１０で共有情報として参照される。
【００９３】
データ受信手段１２１は、サーバデータＳｄａとして、有意情報Ｍｄａおよび観光情報Ｋｄａに加えて、他の携帯端末装置１０で設定された通行不可情報Ｔｄａおよび当該通行不可情報Ｔｄａに対応する写真画像Ｐｉを受信する。これにより、データ記憶手段１３０には、有意情報Ｍｄａに加えて通行不可情報Ｔｄａおよび写真画像Ｐｉが格納される。
【００９４】
地図表示手段１５０は、表示部１７内の地図表示領域１７ａに地図を表示する際、データ記憶手段１３０に格納されている通行不可情報Ｔｄａに基づき、共有情報（写真画像Ｐｉおよび通行不可情報Ｔｄａ）の存在する位置（他の携帯端末装置１０によって通行不可の状態に設定された位置）を識別可能に表示する。本実施形態では、例えば図２７に示すように、共有情報の存在する位置に下向きの三角形のマーク３７が表示される。なお、図２７に示す例では、画面モードが地図モードになっている。
【００９５】
写真画像表示手段１８５は、共有情報の存在する位置を示すマーク３７がタップされると、タップされたマーク３７に対応する写真画像Ｐｉを表示部１７に表示する。
【００９６】
＜２．２．２  サーバ＞
図２８は、サーバ２０の詳細な機能構成を示すブロック図である。本実施携形態におけるサーバ２０には、上記第１の実施形態における構成要素（図１１参照）に加えて、共有情報記憶手段２５０が設けられている。
【００９７】
ユーザー情報受信手段２１０は、ユーザー情報Ｙｄａ（ＧＰＳ情報Ｇｄａおよび機能選択情報Ｆｄａ）に加えて、通行不可情報Ｔｄａおよび写真画像Ｐｉを受信する。通行不可情報Ｔｄａおよび写真画像Ｐｉは共有情報記憶手段２５０に格納される。なお、通行不可情報Ｔｄａと写真画像Ｐｉとは１対１で対応している。
【００９８】
データ選択・送信手段２４０は、上記第１の実施形態と同様にして、有意情報Ｍｄａを有意情報記憶手段２２０から選択し、観光情報Ｋｄａを観光情報記憶手段２３０から選択する。また、データ選択・送信手段２４０は、各携帯端末装置１０から送られたＧＰＳ情報Ｇｄａに基づいて、当該各携帯端末装置１０に送信すべき通行不可情報Ｔｄａおよび写真画像Ｐｉを共有情報記憶手段２５０から選択する。そして、データ選択・送信手段２４０は、有意情報Ｍｄａ，観光情報Ｋｄａ，通行不可情報Ｔｄａ，および写真画像ＰｉをサーバデータＳｄａとして携帯端末装置１０に送信する。
【００９９】
なお、本実施形態においては、共有情報記憶手段２５０によって写真画像記憶手段が実現され、データ選択・送信手段２４０によって写真画像送信手段が実現されている。
【０１００】
＜２．３  処理フロー＞
次に、携帯端末装置１０での処理フローについて説明する。なお、避難誘導アプリの起動から最初の経路探索の結果が表示されるまでの処理フローについては、上記第１の実施形態と同様であるので、説明を省略する。
【０１０１】
図２９は、画面モードが映像モードであるときに映像表示領域１７ｂのタップが行われた際の処理フローを示すフローチャートである。ユーザーによって映像表示領域１７ｂのタップが行われると（ステップＳ３００）、映像表示領域１７ｂ上のタップ位置に基づいて、タップが有効であるか否かの判断が行われる（ステップＳ３１０）。このステップＳ３１０では、上記第１の実施形態におけるステップＳ２１０と同様にして、タップが有効であるか否かの判断が行われる。
【０１０２】
ステップＳ３１０でタップが有効である旨の判断が行われると、自動的に（すなわち、ユーザーの操作を介することなく）風景映像の写真撮影が行われる（ステップＳ３１５）。詳しくは、撮影手段１７０による撮影中の風景映像のうちユーザーによるタップが行われた時点の風景映像が写真画像Ｐｉとして写真画像取得手段１７５によって取得される。例えば、図３０に示すような画面が表示部１７に表示されている時に有効なタップが行われると、図３１に示す風景映像が写真画像Ｐｉとして写真画像取得手段１７５によって取得される。このようにして写真画像Ｐｉが取得された後、通行不可情報の設定が行われる（ステップＳ３２０）。
【０１０３】
通行不可情報の設定後、ステップＳ３１５で取得された写真画像ＰｉとステップＳ３２０で設定された通行不可情報Ｔｄａとがデータ送信手段１２０によってサーバ２０に送信される（ステップＳ３２５）。その後、ステップＳ３３０〜Ｓ３６０では、上記第１の実施形態におけるステップＳ２３０〜Ｓ２６０（図１３参照）と同様の処理が行われる。
【０１０４】
ところで、ステップＳ３２５でサーバ２０に送信された写真画像Ｐｉおよび通行不可情報Ｔｄａは、サーバ２０内の共有情報記憶手段２５０（図２８参照）に格納される。このようにして、多数のユーザーから送信される写真画像Ｐｉおよび通行不可情報Ｔｄａが共有情報として共有情報記憶手段２５０に格納される。そして、各携帯端末装置１０には、共有情報記憶手段２５０に格納されている共有情報のうち、それぞれの現在位置に応じて定められる範囲内の位置の共有情報が送信される。各携帯端末装置１０では、参照可能な共有情報が存在すれば、例えば図２７に示したように、共有情報が存在する位置を示すマーク３７が地図上に表示される。ここで、共有情報を示すマーク３７がユーザーによってタップされると、例えば図３１に示すように、タップされたマーク３７に対応する写真画像Ｐｉが表示部１７に表示される。このようにして、各ユーザーは、他のユーザーによって通行不可の状態に設定された位置の風景映像を写真で確認することができる。
【０１０５】
＜２．４  効果＞
本実施形態によれば、通行不可情報Ｔｄａを設定するためにユーザーによって映像表示領域１７ｂのタップが行われると、風景映像の写真撮影が行われて、通行不可情報Ｔｄａとともに写真画像Ｐｉがサーバ２０に送信される。サーバ２０に送信された通行不可情報Ｔｄａおよび写真画像Ｐｉは共有情報として各携帯端末装置１０から参照される。これにより、各ユーザーは、他のユーザーによって通行不可の状態に設定された位置の詳しい状況を写真で確認することが可能となる。また、映像表示領域１７ｂのタップが行われた際の風景映像の写真撮影は、自動的に（すなわち、ユーザーの操作を介することなく）行われる。このため、通行不可情報Ｔｄａを設定するユーザーに写真撮影のための時間ロスを生じさせることなく、当該ユーザーが遭遇した災害の状況を写した写真画像Ｐｉを取得することが可能となる。これにより、災害が発生している場所の写真画像Ｐｉが効率的にサーバ２０に蓄積される。
【０１０６】
＜３．変形例など＞
上記各実施形態においては、サーバ２０と携帯端末装置１０とによって避難誘導システムが実現されていたが、本発明はこれに限定されない。携帯端末装置１０に代えて、例えばヘッドマウントディスプレイ（頭部装着型表示装置）のようないわゆるウェアラブル端末を用いるようにしても良い。
【０１０７】
また、上記各実施形態においては、避難経路を示すエアタグ３２（もしくはその近傍の位置）をタップすることによって通行不可情報の設定が行われていたが、本発明はこれに限定されない。例えば、タブレット端末を経路案内装置として用いた構成において、避難経路を示すエアタグ３２（もしくはその近傍の位置）をペンでクリックすることによって通行不可情報の設定が行われるようにしても良い。
【０１０８】
さらに、上記各実施形態においては、避難誘導システムを例に挙げて説明したが、本発明はこれに限定されない。ユーザーに現在位置から目的地までの進行経路を案内するための一般的なナビゲーションシステムにも、本発明を適用することができる。これに関し、通行情報設定手段１４３（図５および図２６を参照）において通行不可情報に代えて混雑情報（経路上の位置が混雑している状態である旨を示す情報）の設定が行われるようにしても良い。
【符号の説明】
【０１０９】
１０…携帯端末装置
１７…表示部
１７ａ…地図表示領域
１７ｂ…映像表示領域
２０…サーバ
３２…避難経路を示すエアタグ（拡張現実画像）
１００…ＧＰＳ情報取得手段
１４０…避難経路探索手段
１４３…通行情報設定手段
１５０…地図表示手段
１７０…撮影手段
１８０…映像表示手段
１９０…エアタグ表示手段
２５０…共有情報記憶手段
Ｇｄａ…ＧＰＳ情報
Ｍｄａ…有意情報
Ｐｉ…写真画像
Ｔｄａ…通行不可情報
【図１】
0006680499.tif 000002
【図２】
0006680499.tif 000003
【図３】
0006680499.tif 000004
【図４】
0006680499.tif 000005
【図５】
0006680499.tif 000006
【図６】
0006680499.tif 000007
【図７】
0006680499.tif 000008
【図８】
0006680499.tif 000009
【図９】
0006680499.tif 000010
【図１０】
0006680499.tif 000011
【図１１】
0006680499.tif 000012
【図１２】
0006680499.tif 000013
【図１３】
0006680499.tif 000014
【図１４】
0006680499.tif 000015
【図１５】
0006680499.tif 000016
【図１６】
0006680499.tif 000017
【図１７】
0006680499.tif 000018
【図１８】
0006680499.tif 000019
【図１９】
0006680499.tif 000020
【図２０】
0006680499.tif 000021
【図２１】
0006680499.tif 000022
【図２２】
0006680499.tif 000023
【図２３】
0006680499.tif 000024
【図２４】
0006680499.tif 000025
【図２５】
0006680499.tif 000026
【図２６】
0006680499.tif 000027
【図２７】
0006680499.tif 000028
【図２８】
0006680499.tif 000029
【図２９】
0006680499.tif 000030
【図３０】
0006680499.tif 000031
【図３１】
0006680499.tif 000032